(57)【特許請求の範囲】
【請求項１】
所定データを印刷するための印刷データを生成する印刷データ生成装置と、前記印刷データ生成装置で生成された前記印刷データに基づいて前記所定データを印刷する印刷装置と、前記印刷装置による前記所定データの印刷結果をプレビュー表示するプレビュー装置と、を備える印刷システムであって、
前記印刷データ生成装置は、設定された印刷設定に応じて前記印刷装置による前記所定データの印刷結果をプレビュー表示するためのプレビューデータを生成するプレビューデータ生成手段と、前記プレビューデータ生成手段で生成された前記プレビューデータ及び当該プレビューデータを特定するＩＤ番号を前記プレビュー装置に送信する第１の送信手段と、前記プレビュー装置から前記ＩＤ番号が送信されると当該ＩＤ番号で特定される前記プレビューデータに対応する前記所定データ及び前記印刷設定に基づいて前記印刷データを生成する印刷データ生成手段と、前記印刷データ生成手段で生成された前記印刷データを前記印刷装置に送信する第２の送信手段と、を備え、
前記プレビュー装置は、前記第１の送信手段から送信される前記プレビューデータ及び前記ＩＤ番号を記憶する記憶手段と、前記記憶手段に記憶されている前記プレビューデータを表示することで前記印刷装置による前記所定データの印刷結果をプレビュー表示するプレビュー表示手段と、設定された操作が行われると前記プレビュー表示手段に表示されている前記プレビューデータを特定する前記ＩＤ番号を前記印刷データ生成装置に送信するＩＤ番号送信手段と、を備え、
前記印刷装置は、前記第２の送信手段から送信される前記印刷データに基づいて前記所定データを印刷することを特徴とする印刷システム。
【請求項２】
前記プレビュー装置は、前記記憶手段に記憶されている前記プレビューデータを編集する編集手段を備え、
前記ＩＤ番号送信手段は、前記編集手段による編集内容を表す印刷コマンドデータを前記ＩＤ番号と共に前記印刷データ生成装置に送信し、
前記印刷データ生成手段は、前記プレビュー装置から前記印刷コマンドデータが前記ＩＤ番号と共に送信されると当該ＩＤ番号で特定される前記プレビューデータに対応する前記所定データ及び当該印刷コマンドデータに基づいて前記印刷データを生成することを特徴とする請求項１に記載の印刷システム。
【請求項３】
所定データを印刷するための印刷データを生成する印刷データ生成装置と、前記印刷データ生成装置で生成された前記印刷データに基づいて前記所定データを印刷する印刷装置と、前記印刷装置による前記所定データの印刷結果をプレビュー表示するプレビュー装置と、を備える印刷システムのプレビュー装置であって、
設定された印刷設定に応じて前記印刷装置による前記所定データの印刷結果をプレビュー表示するためのプレビューデータ及び当該プレビューデータを特定するＩＤ番号が前記印刷データ生成装置から送信されると当該プレビューデータ及び当該ＩＤ番号を記憶する記憶手段と、前記記憶手段に記憶されている前記プレビューデータを表示することで前記印刷装置による前記所定データの印刷結果をプレビュー表示するプレビュー表示手段と、設定された操作が行われると前記プレビュー表示手段に表示されている前記プレビューデータを特定する前記ＩＤ番号を前記印刷データ生成装置に送信するＩＤ番号送信手段と、を備えることを特徴とするプレビュー装置。
【請求項４】
所定データを印刷するための印刷データを印刷データ生成装置で生成し、前記印刷データ生成装置で生成された前記印刷データに基づいて前記所定データを印刷装置で印刷し、前記印刷装置による前記所定データの印刷結果をプレビュー装置でプレビュー表示する印刷方法であって、
前記印刷データ生成装置は、設定された印刷設定に応じて前記印刷装置による前記所定データの印刷結果をプレビュー表示するためのプレビューデータを生成し、生成された前記プレビューデータ及び当該プレビューデータを特定するＩＤ番号を第１の送信手段で前記プレビュー装置に送信し、前記プレビュー装置から前記ＩＤ番号が送信されると当該ＩＤ番号で特定される前記プレビューデータに対応する前記所定データ及び前記印刷設定に基づいて前記印刷データを生成し、生成された前記印刷データを第２の送信手段で前記印刷装置に送信し、
前記プレビュー装置は、前記第１の送信手段から送信される前記プレビューデータ及び前記ＩＤ番号を記憶手段で記憶し、前記記憶手段に記憶されている前記プレビューデータを表示することで前記印刷装置による前記所定データの印刷結果をプレビュー表示し、設定された操作が行われると前記プレビュー表示手段に表示されている前記プレビューデータを特定する前記ＩＤ番号を前記印刷データ生成装置に送信し、
前記印刷装置は、前記第２の送信手段から送信される前記印刷データに基づいて前記所定データを印刷することを特徴とする印刷方法。
【請求項５】
所定データを印刷するための印刷データを生成する印刷データ生成装置と、前記印刷データ生成装置で生成された前記印刷データに基づいて前記所定データを印刷する印刷装置と、前記印刷装置による前記所定データの印刷結果をプレビュー表示するプレビュー装置と、を備える印刷システムで実行される印刷プログラムであって、
前記印刷データ生成装置のコンピュータに、設定された印刷設定に応じて前記印刷装置による前記所定データの印刷結果をプレビュー表示するためのプレビューデータを生成するプレビューデータ生成機能と、前記プレビューデータ生成機能で生成された前記プレビューデータ及び当該プレビューデータを特定するＩＤ番号を前記プレビュー装置に送信する第１の送信機能と、前記プレビュー装置から前記ＩＤ番号が送信されると当該ＩＤ番号で特定される前記プレビューデータに対応する前記所定データ及び前記印刷設定に基づいて前記印刷データを生成する印刷データ生成機能と、前記印刷データ生成機能で生成された前記印刷データを前記印刷装置に送信する第２の送信機能と、を実行させ、
前記プレビュー装置のコンピュータに、前記第１の送信機能から送信される前記プレビューデータ及び前記ＩＤ番号を記憶する記憶機能と、前記記憶機能に記憶されている前記プレビューデータを表示することで前記印刷装置による前記所定データの印刷結果をプレビュー表示するプレビュー表示機能と、設定された操作が行われると前記プレビュー表示手段に表示されている前記プレビューデータを特定する前記ＩＤ番号を前記印刷データ生成装置に送信するＩＤ番号送信機能と、を実行させ、
前記印刷装置のコンピュータに、前記第２の送信機能から送信される前記印刷データに基づいて前記所定データを印刷する印刷機能を実行させることを特徴とする印刷プログラム。
【発明の詳細な説明】
【技術分野】
【０００１】
本発明は、所定データを印刷する印刷システム、当該印刷システムに用いられるプレビュー装置、印刷方法及び印刷プログラムに関する。
【背景技術】
【０００２】
従来、この種の印刷システムとしては、例えば、パーソナルコンピュータとプリンタとを備え、所定データを印刷するための印刷データをパーソナルコンピュータで生成し、その印刷データに基づいて前記所定データをプリンタで印刷するものがある。
このような印刷システムにあっては、例えば、パーソナルコンピュータとプリンタとの間に高精細な表示画面を備えるプレビュー装置を備え、パーソナルコンピュータからプリンタに送信される印刷データをプレビュー装置で処理することで、プリンタによる印刷結果をプレビュー表示するものがある（例えば、特許文献１参照）。
【特許文献１】特開２００１―７５９５０号公報
【発明の開示】
【発明が解決しようとする課題】
【０００３】
しかしながら、上記従来の印刷システムにあっては、パーソナルコンピュータやプリンタとプレビュー装置とは互いに近い場所に配されるため、例えば、パーソナルコンピュータやプリンタから離れたところにいる利用者（例えば、顧客）に印刷設定を選択させる場合には、印刷対象であるデータを複数の印刷設定によって実際に印刷して顧客の元に運び、顧客に閲覧させ、顧客が選択した印刷設定で最終的な印刷を行う必要があった。
【０００４】
本発明は、上記従来の印刷システムの未解決の課題を解決することを目的とするものであって、印刷データ生成装置や印刷装置から離れたところにいる利用者にプレビュー表示を容易に閲覧させることができる印刷システム、プレビュー装置、印刷方法及び印刷プログラムを提供することを課題とする。
【課題を解決するための手段】
【０００５】
上記課題を解決するために、本発明の印刷システムは、所定データを印刷するための印刷データを生成する印刷データ生成装置と、前記印刷データ生成装置で生成された前記印刷データに基づいて前記所定データを印刷する印刷装置と、前記印刷装置による前記所定データの印刷結果をプレビュー表示するプレビュー装置と、を備える印刷システムであって、前記印刷データ生成装置は、設定された印刷設定に応じて前記印刷装置による前記所定データの印刷結果をプレビュー表示するためのプレビューデータを生成するプレビューデータ生成手段と、前記プレビューデータ生成手段で生成された前記プレビューデータ及び当該プレビューデータを特定するＩＤ番号を前記プレビュー装置に送信する第１の送信手段と、前記プレビュー装置から前記ＩＤ番号が送信されると当該ＩＤ番号で特定される前記プレビューデータに対応する前記所定データ及び前記印刷設定に基づいて前記印刷データを生成する印刷データ生成手段と、前記印刷データ生成手段で生成された前記印刷データを前記印刷装置に送信する第２の送信手段と、を備え、前記プレビュー装置は、前記第１の送信手段から送信される前記プレビューデータ及び前記ＩＤ番号を記憶する記憶手段と、前記記憶手段に記憶されている前記プレビューデータを表示することで前記印刷装置による前記所定データの印刷結果をプレビュー表示するプレビュー表示手段と、設定された操作が行われると前記プレビュー表示手段に表示されている前記プレビューデータを特定する前記ＩＤ番号を前記印刷データ生成装置に送信するＩＤ番号送信手段と、を備え、
前記印刷装置は、前記第２の送信手段から送信される前記印刷データに基づいて前記所定データを印刷することを特徴とする。
【０００６】
また、前記プレビュー装置は、前記記憶手段に記憶されている前記プレビューデータを編集する編集手段を備え、前記ＩＤ番号送信手段は、前記編集手段による編集内容を表す印刷コマンドデータを前記ＩＤ番号と共に前記印刷データ生成装置に送信し、前記印刷データ生成手段は、前記プレビュー装置から前記印刷コマンドデータが前記ＩＤ番号と共に送信されると当該ＩＤ番号で特定される前記プレビューデータに対応する前記所定データ及び当該印刷コマンドデータに基づいて前記印刷データを生成するようにしてもよい。
【０００７】
一方、本発明のプレビュー装置は、所定データを印刷するための印刷データを生成する印刷データ生成装置と、前記印刷データ生成装置で生成された前記印刷データに基づいて前記所定データを印刷する印刷装置と、前記印刷装置による前記所定データの印刷結果をプレビュー表示するプレビュー装置と、を備える印刷システムのプレビュー装置であって、設定された印刷設定に応じて前記印刷装置による前記所定データの印刷結果をプレビュー表示するためのプレビューデータ及び当該プレビューデータを特定するＩＤ番号が前記印刷データ生成装置から送信されると当該プレビューデータ及び当該ＩＤ番号を記憶する記憶手段と、前記記憶手段に記憶されている前記プレビューデータを表示することで前記印刷装置による前記所定データの印刷結果をプレビュー表示するプレビュー表示手段と、設定された操作が行われると前記プレビュー表示手段に表示されている前記プレビューデータを特定する前記ＩＤ番号を前記印刷データ生成装置に送信するＩＤ番号送信手段と、を備えることを特徴とする。
【０００８】
また、本発明の印刷方法は、所定データを印刷するための印刷データを印刷データ生成装置で生成し、前記印刷データ生成装置で生成された前記印刷データに基づいて前記所定データを印刷装置で印刷し、前記印刷装置による前記所定データの印刷結果をプレビュー装置でプレビュー表示する印刷方法であって、前記印刷データ生成装置は、設定された印刷設定に応じて前記印刷装置による前記所定データの印刷結果をプレビュー表示するためのプレビューデータを生成し、生成された前記プレビューデータ及び当該プレビューデータを特定するＩＤ番号を第１の送信手段で前記プレビュー装置に送信し、前記プレビュー装置から前記ＩＤ番号が送信されると当該ＩＤ番号で特定される前記プレビューデータに対応する前記所定データ及び前記印刷設定に基づいて前記印刷データを生成し、生成された前記印刷データを第２の送信手段で前記印刷装置に送信し、前記プレビュー装置は、前記第１の送信手段から送信される前記プレビューデータ及び前記ＩＤ番号を記憶手段で記憶し、前記記憶手段に記憶されている前記プレビューデータを表示することで前記印刷装置による前記所定データの印刷結果をプレビュー表示し、設定された操作が行われると前記プレビュー表示手段に表示されている前記プレビューデータを特定する前記ＩＤ番号を前記印刷データ生成装置に送信し、前記印刷装置は、前記第２の送信手段から送信される前記印刷データに基づいて前記所定データを印刷することを特徴とする。
【０００９】
さらに、本発明の印刷プログラムは、所定データを印刷するための印刷データを生成する印刷データ生成装置と、前記印刷データ生成装置で生成された前記印刷データに基づいて前記所定データを印刷する印刷装置と、前記印刷装置による前記所定データの印刷結果をプレビュー表示するプレビュー装置と、を備える印刷システムで実行される印刷プログラムであって、前記印刷データ生成装置のコンピュータに、設定された印刷設定に応じて前記印刷装置による前記所定データの印刷結果をプレビュー表示するためのプレビューデータを生成するプレビューデータ生成機能と、前記プレビューデータ生成機能で生成された前記プレビューデータ及び当該プレビューデータを特定するＩＤ番号を前記プレビュー装置に送信する第１の送信機能と、前記プレビュー装置から前記ＩＤ番号が送信されると当該ＩＤ番号で特定される前記プレビューデータに対応する前記所定データ及び前記印刷設定に基づいて前記印刷データを生成する印刷データ生成機能と、前記印刷データ生成機能で生成された前記印刷データを前記印刷装置に送信する第２の送信機能と、を実行させ、前記プレビュー装置のコンピュータに、前記第１の送信機能から送信される前記プレビューデータ及び前記ＩＤ番号を記憶する記憶機能と、前記記憶機能に記憶されている前記プレビューデータを表示することで前記印刷装置による前記所定データの印刷結果をプレビュー表示するプレビュー表示機能と、設定された操作が行われると前記プレビュー表示手段に表示されている前記プレビューデータを特定する前記ＩＤ番号を前記印刷データ生成装置に送信するＩＤ番号送信機能と、を実行させ、前記印刷装置のコンピュータに、前記第２の送信機能から送信される前記印刷データに基づいて前記所定データを印刷する印刷機能を実行させることを特徴とする。
【００１０】
このような構成によれば、例えば、印刷対象であるデータから印刷設定が互いに異なる複数のプレビューデータを印刷データ生成装置で生成し、それら複数のプレビューデータをプレビュー装置の記憶装置に記憶させた後、プレビュー装置を顧客の元に運び、顧客が任意のプレビューデータの選択操作を行った場合に、そのプレビューデータのＩＤ番号を印刷データ生成装置に送信することで、印刷データ生成装置や印刷装置から離れたところにいる顧客（利用者）に印刷設定を容易に選択させることができる。
【発明を実施するための最良の形態】
【００１１】
以下、本発明の印刷システムの一実施形態を図面に基づいて説明する。
＜印刷システムの構成＞
図１は、本実施形態の印刷システムの概略構成を示す構成図である。この図１に示すように、印刷システム１は、パーソナルコンピュータ２、プレビュー装置３及びプリンタ４を含んで構成される。
【００１２】
パーソナルコンピュータ２は、図２に示すように、ＣＰＵ(Central Processing Unit)５、ＲＡＭ(Random Access Memory)６、ＨＤＤ(Hard Disc Drive)７、グラフィックコントローラ８及びＩ／Ｏ(Input Output)コントローラ９を含んで構成される。
また、グラフィックコントローラ８には表示装置１０が接続され、Ｉ／Ｏコントローラ９には入力装置１１、プレビュー装置３及びプリンタ４が接続されている。
【００１３】
そして、パーソナルコンピュータ２は、ＨＤＤ７内の各種プログラムをＣＰＵ５に読み込み、それらをＲＡＭ６に形成されるワークエリアに展開して各部６〜９を制御する。
具体的には、パーソナルコンピュータ２は、利用者による入力装置１１の操作により、図３（ａ）に示すように、パーソナルコンピュータ２で作成又は取得されたファイルを開いてグラフィックコントローラ８で表示装置１０に表示し（ステップＳ１０１、Ｓ１０２）、また、利用者による設定操作に応じて印刷設定を変更し、その印刷設定に応じて前記表示したファイルのプレビューデータを生成する（ステップＳ１０３）。
【００１４】
また、パーソナルコンピュータは、図４に示すように、その生成されたプレビューデータのＩＤ番号、ファイルパス及び印刷設定の組（レコード）をＲＡＭ６（ＩＤ管理テーブル）に格納し（ステップＳ１０４）、そのレコードのＩＤ番号を当該レコードに対応するプレビューデータに付加してプレビュー装置３に出力する（ステップＳ１０５）。
ここで、ＩＤ番号は、印刷システム１に固有の識別符号であり、ファイルパスは、プレビューデータの元となるファイルの記録場所のパスであり、印刷設定は、用紙サイズ、拡大・縮小、濃度、部数、プリンタ等、印刷データの生成に用いられる情報である。
【００１５】
さらに、パーソナルコンピュータ２は、プレビュー装置３から出力されるＩＤ番号を取得すると（ステップＳ１０６）、そのＩＤ番号に対応したファイルパス及び印刷設定をＩＤ管理テーブルから読み出し、それらに基づいて印刷データを生成し（ステップＳ１０７）、その印刷データをプリンタ４に出力する（ステップＳ１０８）。
また、パーソナルコンピュータ２は、図５（ａ）に示すように、プレビュー装置３から出力されるＩＤ削除命令（ＩＤ管理テーブルから特定のＩＤ番号に関するレコードの削除を指示する命令）を取得すると（ステップＳ４０１）、そのＩＤ削除命令に対応するＩＤ番号に関する情報をＲＡＭ６のＩＤ管理テーブルから削除する（ステップＳ４０２）。
【００１６】
プレビュー装置３は、図６に示すように、ＣＰＵ１２、ＲＡＭ１３、グラフィックコントローラ１４、Ｉ／Ｏコントローラ１５を含んで構成される。
また、グラフィックコントローラ１４には表示装置１６が接続され、Ｉ／Ｏコントローラ１５には入力装置１７及びパーソナルコンピュータ２が接続されている。
ここで、表示装置１６は、パーソナルコンピュータ２で設定可能な用紙サイズの最大サイズと大きさが等しく、プリンタ４と解像度が等しい。また、表示装置１６は、多値表現を用いることで実質的にプリンタ４と同等な情報量を表現することができるものとする。なお、表示装置１６としては、電力を消費することなく表示内容を保持できる記憶性を備え、紙と同じく反射型表示体となるものを用いるのが好ましい。
【００１７】
また、プレビュー装置３のＩ／Ｏコントローラ１５とパーソナルコンピュータ２のＩ／Ｏコントローラ９との接続方法としては、汎用Ｉ／Ｏを用いる方法や、ネットワークを用いる方法（有線或いは無線を用いる方法）が挙げられる。ネットワークを用いる場合には、例えば、パーソナルコンピュータ２がＬＡＮ(Local Area Network)に接続され、プレビュー装置３及びプリンタ４が同一ネットワーク内にアクセスポイントがあるＩＥＥＥ８０２．１１ｘ等の無線ＬＡＮに接続されるようにしてもよい。
【００１８】
そして、プレビュー装置３は、ＲＡＭ１３内の各種プログラムをＣＰＵ１２に読み込み、それらをＲＡＭ１３に形成されるワークエリアに展開して各部１３〜１５を制御する。
具体的には、プレビュー装置３は、図３（ｂ）に示すように、パーソナルコンピュータ２からプレビューデータを取得し、ＲＡＭ１３に格納する（ステップＳ２０１）。
また、プレビュー装置３は、利用者による入力装置１７の操作によりＲＡＭ１３に格納されているプレビューデータをグラフィックコントローラ１４で表示装置１６に表示し（ステップＳ２０２）、また、プレビューデータを表示しているときに、利用者による印刷操作が行われると（ステップＳ２０３、Ｙｅｓ）そのプレビューデータに付加されているＩＤ番号をパーソナルコンピュータ２に出力する（ステップＳ２０４）。
【００１９】
さらに、プレビュー装置３は、図５（ｂ）に示すように、利用者によってプレビューデータの削除操作が行われると（ステップＳ５０１）、その削除操作されたプレビューデータに対応するＩＤ番号に関するレコードの削除を指示するＩＤ削除命令をパーソナルコンピュータ２に出力する（ステップＳ５０２）。
プリンタ４は、図３（ｃ）に示すように、パーソナルコンピュータ２から印刷データを取得すると（ステップＳ３０１）、その印刷データを印刷する（ステップＳ３０２）。
【００２０】
＜印刷システムの動作＞
次に、本発明の印刷システムの動作を具体的状況に基づいて説明する。
まず、利用者が会社でパーソナルコンピュータ２の入力装置１１を操作し、図３（ａ）に示すように、パーソナルコンピュータ２によって、ファイルが開かれてグラフィックコントローラ８で表示装置１０に表示されたとする（ステップＳ１０１、Ｓ１０２）。
【００２１】
また、利用者が印刷設定を変更する設定操作を行ったとすると、パーソナルコンピュータ２によって、その印刷設定に応じて前記表示したファイルのプレビューデータが生成され（ステップＳ１０３）、図４に示すように、そのプレビューデータのＩＤ番号、ファイルパス及び印刷設定の組（レコード）がＲＡＭ６のＩＤ管理テーブルに格納され（ステップＳ１０４）、そのレコードのＩＤ番号が当該レコードに対応するプレビューデータに付加されてプレビュー装置３に出力される（ステップＳ１０５）。
【００２２】
そして、プレビュー装置３によって、図５（ｂ）に示すように、そのプレビューデータが取得され、ＲＡＭ１３に格納され（ステップＳ２０１）、上記フローが利用者による印刷設定の変更から（ステップＳ１０３から）繰り返し実行され、印刷設定の異なるプレビューデータがプレビュー装置３のＲＡＭ１３に格納される。
ここで、印刷設定の異なる複数のプレビューデータをＲＡＭ１３に格納したプレビュー装置３を利用者がパソコン２から取りはずし、顧客の元に運び、顧客が任意のプレビューデータの選択操作を行ったとする。すると、プレビュー装置３によって、その選択されたプレビューデータがＲＡＭ１３から読み出され、そのプレビューデータがグラフィックコントローラ１４で表示装置１６に表示される（ステップＳ２０２）。
【００２３】
また、プレビューデータの表示中に、顧客によって印刷操作が行われたとする（ステップＳ２０３、Ｙｅｓ）。すると、プレビュー装置３によって、そのプレビューデータに付加されているＩＤ番号がパーソナルコンピュータ２に出力される（ステップＳ２０４）。
さらに、パーソナルコンピュータ２によって、その出力されたＩＤ番号が取得されると（ステップＳ１０６）、そのＩＤ番号に対応したファイルパス及び印刷設定がＩＤ管理テーブルから読み出され、それらに基づいて印刷データが生成され（ステップＳ１０７）、その印刷データがプリンタ４に出力される（ステップＳ１０８）。そして、プリンタ４によって、その印刷データが取得されて印刷される（ステップＳ３０１、Ｓ３０２）。
【００２４】
このように、本実施形態に印刷システム１にあっては、印刷対象であるファイルから印刷設定が互いに異なる複数のプレビューデータをパーソナルコンピュータ２で生成し、それら複数のプレビューデータをプレビュー装置３のＲＡＭ１３に記憶させた後、プレビュー装置３を顧客の元に運び、顧客が任意のプレビューデータの印刷操作（選択操作）を行った場合に、その印刷操作がされたプレビューデータのＩＤ番号をパーソナルコンピュータ２に送信するようにしたため、パーソナルコンピュータ２やプリンタ４から離れたところにいる顧客（利用者）に印刷設定を容易に選択させることができる。
【００２５】
また、プリンタ４によって実際に印刷を行う前に、プレビュー装置３の表示装置１６によって印刷内容を印刷物と同等のサイズや解像度で確認することができる。
さらに、プレビューデータをパーソナルコンピュータ２の画面にて確認する必要がなく、また、ＩＤ番号に対応した実際の印刷コマンドと印刷ジョブ（印刷データ）はパーソナルコンピュータ２からプリンタ４に送信されるため、プレビュー装置３とプリンタ４は直結する必要がなく、プリンタ４を遠隔地に設置することができる。
【００２６】
なお、上記実施形態では、図１のパーソナルコンピュータ２が特許請求の範囲に記載の印刷データ生成装置を構成し、以下同様に、図１のプリンタ４が印刷装置を構成し、図３のステップＳ１０５が第１の送信手段を構成し、図３のステップＳ１０７が印刷データ生成手段を構成し、図３のステップＳ１０８が第２の送信手段を構成し、図３のステップＳ２０１が記憶手段を構成し、図３のステップＳ２０２がプレビュー表示手段を構成し、図３のステップＳ２０４がＩＤ番号送信手段を構成する。
【００２７】
また、本発明の印刷システム、プレビュー装置、印刷方法及び印刷プログラムは、上記実施の形態の内容に限定されるものではなく、本発明の趣旨を逸脱しない範囲で適宜変更可能である。
上記実施形態では、利用者によって設定された印刷設定に応じてプレビューデータを生成する例を示したが、これに限られるものではない。例えば、パーソナルコンピュータ２の表示装置１０にファイルが表示されるとそのファイルのプレビューデータを自動的に生成するようにしてもよい。具体的には、用紙サイズを９０％、１００％、１１０％、１２０％というように倍率が異なる複数のプレビューデータを生成してもよい。
【００２８】
また、例えば、１画面に１ページ分のコンテンツを表示するもの、１画面に２ページ分のコンテンツを表示するもの、１画面に４ページ分のコンテンツを表示するものというように１画面あたりの表示ページ数が異なるプレビューデータを生成してもよい。
さらに、例えば、プレビューデータの濃度、コントラスト、ガンマカーブ、ハーフトーン処理等、画像処理の方法が異なる複数のプレビューデータを生成してもよい。
【００２９】
また、１つのプレビューデータが複数ページ分ある場合には、顧客が印刷操作を行った場合には、プレビュー装置３に表示されていたプレビューデータの全てのページを印刷するようにしてもよいし、表示されていたページのみを印刷してもよい。
また、プリンタ４が複数台ある場合には、パーソナルコンピュータ２の表示装置１０に利用可能なプリンタ４表示し、印刷設定として出力先プリンタが指定されているプレビューデータが選択されると、そのプリンタに出力させるようにしてもよい。
【００３０】
さらに、プレビュー装置３のＲＡＭ１３に記憶されているプレビューデータを編集し、その編集内容を表す印刷コマンドデータをＩＤ番号と共にパーソナルコンピュータ２に出力し、パーソナルコンピュータ２によって、その印刷コマンドデータとＩＤ番号とが出力された場合には当該ＩＤ番号の印刷プレビューデータに対応するファイルと当該印刷コマンドデータとに基づいて印刷データを生成することで、その編集内容を反映させた内容でプリンタ４から印刷させるようにしてもよい。そのようにすれば、印刷コマンドの解釈はパーソナルコンピュータ２上で行うため、プレビュー装置３の負荷を軽減できる。
【図面の簡単な説明】
【００３１】
【図１】本発明の印刷システムの一実施形態の概観を示す斜視図である。
【図２】パーソナルコンピュータの内部構成を示すブロック図である。
【図３】印刷システムの動作を説明するための説明図である。
【図４】ＩＤ管理テーブルを説明するための説明図である。
【図５】印刷システムの動作を説明するための説明図である。
【図６】プレビュー装置の内部構成を示すブロック図である。
【符号の説明】
【００３２】
１は印刷システム、２はパーソナルコンピュータ、３はプレビュー装置、４はプリンタ、５はＣＰＵ、６はＲＡＭ、７はＨＤＤ、８はグラフィックコントローラ、９はＩ／Ｏコントローラ、１０は表示装置、１１は入力装置、１２はＣＰＵ、１３はＲＡＭ、１４はグラフィックコントローラ、１５はＩ／Ｏコントローラ、１６は表示装置、１７は入力装置
【図１】
0004830573.tif 000002
【図２】
0004830573.tif 000003
【図３】
0004830573.tif 000004
【図４】
0004830573.tif 000005
【図５】
0004830573.tif 000006
【図６】
0004830573.tif 000007